(57)【特許請求の範囲】
【請求項１】
磁気記録媒体の複数チャネルの記録情報が、それぞれ対応する複数の磁気抵抗効果型ヘッドにより切換再生される磁気抵抗効果型ヘッドの信号切換再生装置であって、
前記複数の磁気抵抗効果型ヘッドに電流を供給する電流源回路と、
選択される磁気抵抗効果型ヘッドに切換接続され、該磁気抵抗効果型ヘッドに基準電圧を印加し、該基準電圧に基づく制御信号を出力する帰還増幅器を備え、前記電流源回路の電流値を制御する帰還制御回路と、
前記複数の磁気抵抗効果型ヘッドの一つを選択し、選択した磁気抵抗効果型ヘッドに前記帰還制御回路を接続し、選択した磁気抵抗効果型ヘッドによって、前記書込情報を再生出力させる切換手段と、
該切換手段の切換動作時に、前記帰還増幅器が切換前の磁気抵抗効果型ヘッドに接続された状態で、前記帰還増幅器の動作を停止させ、前記帰還増幅器の出力信号レベルを低下させた後に、前記帰還制御回路を切換対象の磁気抵抗効果型ヘッドに切り換える切換動作制御手段と
を有することを特徴とする磁気抵抗効果型ヘッドの信号切換再生装置。
【請求項２】
前記帰還増幅器には、該帰還増幅器の出力信号が蓄積されるコンデンサが接続され、前記切換動作制御手段の前記信号レベルの低下処理は、前記コンデンサの放電であることを特徴とする請求項１記載の磁気抵抗効果型ヘッドの信号切換再生装置。
【発明の詳細な説明】
【０００１】
【発明の属する技術分野】
本発明は、磁気記録媒体の複数チャネルの記録情報が、それぞれ対応する複数の磁気抵抗効果型ヘッドにより切換再生される磁気抵抗効果型ヘッドの信号切換再生装置に関する。
【０００２】
【従来の技術】
近年、ＨＤＤ（ハードディスク）の高速化と大容量化が進むに伴って、磁気ヘッドも通常のインダクティブ薄膜磁気ヘッドから、高記録密度化に対応して、磁気記録媒体との相対速度に依存せずに信号磁界の検出が可能な磁気抵抗効果型ヘッド（ＭＲヘッド；Ｍａｇｎｅｔｏ−Ｒｅｓｉｓｔｉｖｅｈｅａｄ）が使用されるようになっている。このＭＲヘッドでは、バイアス電流を流した状態で、磁界による抵抗値の変化に伴って変化するＭＲヘッドの端子間電圧を検出することによって記録情報の読取りが行われる。
【０００３】
従来のＭＲヘッドの信号切換再生装置を、ディスクが一枚で２チャネル形式のものについて説明すると、この従来のＭＲヘッドの信号切換再生装置は、図３に示すような構成を有し、このＭＲヘッドの信号切換再生装置には、２個のＭＲヘッド１５、１６が設けられ、ＭＲヘッド１５の端子ｔ０１及びＭＲヘッド１６の端子ｔ１１と高レベルの電源ライン間に、ＭＲヘッド１５、１６に電流を供給する電流源回路１１が接続され、同様に、ＭＲヘッド１５の端子ｔ０２及びＭＲヘッド１６の端子ｔ２２と低レベルの電源ライン間に、ＭＲヘッド１５、１６に電流を供給する電流源回路１２が接続されている。
【０００４】
このＭＲヘッド１５の端子ｔ０１は、スイッチＳＷ１の切換端子ａ１に接続され、また、コンデンサＣ２を介してアンプＡ２の一方の入力端子に接続されており、一方、ＭＲヘッド１５の端子ｔ０２は、スイッチＳＷ２の切換端子ａ２に接続され、また、コンデンサＣ３を介してアンプＡ２の他方の入力端子に接続されている。そして、アンプＡ２の一方の入力端子に抵抗Ｒ５の一端が接続され、アンプＡ２の他方の入力端子に抵抗Ｒ６の一端が接続され、抵抗Ｒ５、Ｒ６の他端とアース間には電圧Ｖ２が印加され、アンプＡ２の出力端子は、スイッチＳＷ４の切換端子ａ４に接続されている。ここで、コンデンサＣ２と抵抗Ｒ５、コンデンサＣ３と抵抗Ｒ６は、それぞれハイパスフィルタを構成している。
【０００５】
同様に、ＭＲヘッド１６の端子ｔ１１は、スイッチＳＷ１の切換端子ｂ１に接続され、また、コンデンサＣ４を介してアンプＡ３の一方の入力端子に接続されており、ＭＲヘッド１６の端子ｔ１２は、スイッチＳＷ２の切換端子ｂ２に接続され、また、コンデンサＣ５を介してアンプＡ３の他方の入力端子に接続されている。そして、アンプＡ３の一方の入力端子に抵抗Ｒ７の一端が接続され、アンプＡ３の他方の入力端子に抵抗Ｒ８の一端が接続され、抵抗Ｒ７、Ｒ８の他端とアース間には電圧Ｖ３が印加され、アンプＡ３の出力端子は、スイッチＳＷ４の切換端子ｂ４に接続され、スイッチＳＷ４のコモン端子が、ＭＲヘッドの信号切換再生装置の出力端子となっている。ここで、コンデンサＣ４と抵抗Ｒ７、コンデンサＣ５と抵抗Ｒ８は、それぞれハイパスフィルタを構成している。
【０００６】
一方、基準電源９の正電極がスイッチＳＷ１のコモン端子に接続され、基準電源９の負電極がオペアンプＧＭ１の反転入力端子に接続され、オペアンプＧＭ１の非反転入力端子はスイッチＳＷ２のコモン端子に接続され、オペアンプＧＭ１の出力端子はスイッチＳＷ３のコモン端子に接続されると共に、コンデンサＣ１を介して低レベルの電源ラインに接続されている。
【０００７】
また、電流源回路１１では、ベースとコレクタが互いに接続されたＰＮＰトランジスタＰ１、Ｐ２のエミッタが抵抗Ｒ２を介して高レベルの電源ラインに接続され、ＰＮＰトランジスタＰ３、Ｐ４のエミッタが、抵抗Ｒ４を介して高レベルの電源ラインに接続され、ＰＮＰトランジスタＰ１、Ｐ４のベースが互いに接続され、ＰＮＰトランジスタＰ２、Ｐ３のベースが互いに接続され、ＰＮＰトランジスタＰ３のコレクタが、ＭＲヘッド１５の端子ｔ０１に接続されている。
【０００８】
同様に、電流源回路１２では、ＮＰＮトランジスタＱ１、Ｑ２のベースが、スイッチＳＷ３の切換端子ｂ３、ａ３にそれぞれ接続され、ＮＰＮトランジスタＱ１、Ｑ２のエミッタは、抵抗Ｒ１を介して低レベルの電源ラインに接続され、ＮＰＮトランジスタＱ１のコレクタが、ＰＮＰトランジスタＰ１のコレクタに、ＮＰＮトランジスタＱ２のコレクタがＰＮＰトランジスタＰ２のコレクタにそれぞれ接続されている。
また、ＮＰＮトランジスタＱ３、Ｑ４のベースが、スイッチＳＷ３の切換端子ａ３、ｂ３にそれぞれ接続され、ＮＰＮトランジスタＱ３、Ｑ４のエミッタは、抵抗Ｒ３を介して低レベルの電源ラインに接続され、ＮＰＮトランジスタＱ３のコレクタはＭＲヘッド１５の端子ｔ０２に、ＮＰＮトランジスタＱ４のコレクタはＭＲヘッド１６の端子ｔ１２にそれぞれ接続されている。
【０００９】
また、このＭＲヘッドの信号切換再生装置では、ＮＰＮトランジスタＱ１とＮＰＮトランジスタＱ４との電流比が、ＰＮＰトランジスタＰ１とＰＮＰトランジスタＰ４との電流比と同一で、ＮＰＮトランジスタＱ２とＮＰＮトランジスタＱ３との電流比が、ＰＮＰトランジスタＰ２とＰＮＰトランジスタＰ３との電流比と同一になるようにトランジスタの特性が選択され、さらに、抵抗Ｒ１と抵抗Ｒ３との抵抗値の比が、ＮＰＮトランジスタＱ１とＮＰＮトランジスタＱ４との電流比の逆比になるように抵抗素子の抵抗値が選択されている。
そして、従来のＭＲヘッドの信号切換再生装置には、ヘッド切換信号Ｈφが入力される制御回路１０Ｂが設けられ、この制御回路１０Ｂによって、スイッチＳＷ１〜ＳＷ４が同期切換されるように、制御回路１０ｂの出力端子にスイッチＳＷ１〜ＳＷ４が接続されている。
【００１０】
前述したような従来のＭＲヘッドの信号切換再生装置では、先ず、ＭＲヘッド１５を選択するヘッド切換信号Ｈφ（０）が制御回路１０Ｂに入力されると、スイッチＳＷ１が切換端子ａ１側に、スイッチＳＷ２が切換端子ａ２側に、スイッチＳＷ３が切換端子ａ３側に、スイッチＳＷ４が切換端子ａ４側に、同期状態で同時に切り換えられる。
この切換によって、ＭＲヘッド１５の端子ｔ０１、ｔ０２間には、基準電源９の電圧Ｖ１が印加され、ＭＲヘッド１５の抵抗値をＲＭ（Ｒｏ）として、ＭＲヘッド１５にはバイアス電流Ｉ（Ｂｏ）として、Ｉ（Ｂｏ）＝Ｖ１／ＲＭ（Ｒｏ）が流れる。
【００１１】
ところで、ＭＲヘッド１５、オペアンプＧＭ１及び電流源回路１２で構成される帰還ループのカットオフ周波数をｆｃ１１とすると、このカットオフ周波数ｆｃ１１は、オペアンプＧＭ１の伝達コンダクタンスをｇｍ１として、（１／２π）・（ｇｍ１／Ｃ１）・｛ＲＭ（Ｒｏ）／Ｒ３｝となる。
そして、ＭＲヘッド１５の抵抗値を変化させる周波数がｆｃ１１以下であると、抵抗値ＲＭ（Ｒｏ）が変化することにより、端子ｔ０１、ｔ０２間の電圧が変化しようとし、例えば、抵抗値ＲＭ（Ｒｏ）が増加する方向に変化した場合を考えると、端子ｔ０２の電位が低下するので、オペアンプＧＭ１の出力端子の電位が低下し、ＮＰＮトランジスタＱ２、Ｑ３のベース電圧が低下し、ＮＰＮトランジスタＱ２、Ｑ３、ＰＮＰトランジスタＰ２、Ｐ３に流れる電流が変化して、ＰＮＰトランジスタＰ３のコレクタ電流が減少し、バイアス電流Ｉ（Ｂｏ）が減少してＭＲヘッド１５の端子ｔ０１、ｔ０２間の電圧がＶ１となるように制御が行われる。
【００１２】
同様にして、抵抗値ＲＭ（Ｒｏ）が減少する方向に変化した場合には、端子ｔ０２の電位が上昇し、オペアンプＧＭ１の出力端子の電位が上昇し、ＮＰＮトランジスタＱ２、Ｑ３のベース電圧が上昇し、ＮＰＮトランジスタＱ２、Ｑ３、ＰＮＰトランジスタＰ２、Ｐ３に流れる電流が変化して、ＰＮＰトランジスタＰ３のコレクタ電流が増加し、バイアス電流Ｉ（Ｂｏ）が増加してＭＲヘッド１５の端子ｔ０１、ｔ０２間の電圧がＶ１となるように制御が行われる。
【００１３】
このように、ＭＲヘッド１５の抵抗値を変化させる周波数がｆｃ１１以下であると、ＭＲヘッド１５の端子ｔ０１、ｔ０２間の電圧はＶ１に保持され、ＭＲヘッド１５の抵抗値の変化は、アンプＡ２に伝達されないので出力信号Ｖｏは変化しない。
一方、ＭＲヘッド１５の抵抗値を変化させる周波数がｆｃ１１以上になると、帰還ループがカットオフ状態となり、帰還動作が無効状態となり、磁界によってＭＲヘッド１５の抵抗値ＲＭ（Ｒｏ）が変化すると、Ｖｏ＝Ｉ（Ｂｏ）・ＲＭ（Ｒｏ）が再生信号として出力される。
【００１４】
【発明が解決しようとする課題】
ところで、ＲＭヘッドの抵抗値は３０Ω〜８０Ω程度で抵抗値にばらつきがあり、ＲＭヘッド１６の抵抗値をＲＭ（Ｂ１）として、ＲＭ（Ｂ１）＞ＲＭ（Ｂｏ）の条件がある状態で、ヘッド１５をＲＭヘッド１６に切り換えた場合を考えると、図４（ａ）に示すように、ＭＲヘッド１６を選択するヘッド切換信号Ｈφ（１）が、時刻ｔ０で制御回路１０Ｂに入力されると、制御回路１０Ｂからの制御信号によって、同図（ｂ）に示すように、スイッチＳＷ１が切換端子ｂ１側に、スイッチＳＷ２が切換端子ｂ２側に、スイッチＳＷ３が切換端子ｂ３側に、スイッチＳＷ４が切換端子ｂ４側に、同期状態で同時に切り換えられる。
【００１５】
この状態で、ＭＲヘッド１５の端子ｔ０１、ｔ０２間に印加されていた電圧Ｖ１＝Ｉ（Ｂｏ）・ＲＭ（Ｒｏ）が遮断され、ＭＲヘッド１５の端子間電圧は、図４（ｃ）に示すように低下して行く。この時、オペアンプＧＭ１の出力電圧は、ＮＰＮトランジスタＱ３のベース・エミッタ間電圧をＶｂｅとして、ＭＲヘッド１５を選択していた時の電圧Ｒ３・Ｉ（Ｂｏ）＋Ｖｂｅに保持されているので、ＭＲヘッド１６には、切り換えの瞬間に電流Ｉ（Ｂｏ）が流れる。
このために、ＲＭ（Ｒ１）＞ＲＭ（Ｒｏ）であると、電圧Ｖ１が印加されるべきＭＲヘッド１６間に、図４（ｄ）に示すように、Ｉ（Ｂｏ）・ＲＭ（Ｒ１）の過電圧が印可され、ＭＲヘッド１６の品質が劣化し、ヘッド破壊の原因になることがある。
【００１６】
本発明は、前述したようなこの種の磁気抵抗効果型ヘッドの信号切換再生装置の動作の現状に鑑みてなされたものであり、その目的は、ＭＲヘッドの切換再生動作時に、ＭＲヘッドの端子間に、予め設定した基準電圧以上の電圧が印加されることのない磁気抵抗効果型ヘッドの信号切換再生装置を提供することにある。
【００１７】
【課題を解決するための手段】
前記目的を達成するために、請求項１記載の発明は、磁気記録媒体の複数チャネルの記録情報が、それぞれ対応する複数の磁気抵抗効果型ヘッドにより切換再生される磁気抵抗効果型ヘッドの信号切換再生装置であって、前記複数の磁気抵抗効果型ヘッドに電流を供給する電流源回路と、選択される磁気抵抗効果型ヘッドに切換接続され、該磁気抵抗効果型ヘッドに基準電圧を印加し、該基準電圧に基づく制御信号を出力する帰還増幅器を備え、前記電流源回路の電流値を制御する帰還制御回路と、前記複数の磁気抵抗効果型ヘッドの一つを選択し、選択した磁気抵抗効果型ヘッドに前記帰還制御回路を接続し、選択した磁気抵抗効果型ヘッドによって、前記書込情報を再生出力させる切換手段と、該切換手段の切換動作時に、前記帰還増幅器が切換前の磁気抵抗効果型ヘッドに接続された状態で、前記帰還増幅器の動作を停止させ、前記帰還増幅器の出力信号レベルを低下させた後に、前記帰還制御回路を切換対象の磁気抵抗効果型ヘッドに切り換える切換動作制御手段とを有することを特徴とするものである。
【００１８】
このような手段によると、切換動作制御手段によって磁気抵抗効果型ヘッドの選択切換を行う切換手段の切換動作が制御され、磁気抵抗効果型ヘッドに基準電圧を印加し、基準電圧に基づく制御信号を出力する帰還増幅器が、切換前の磁気抵抗効果型ヘッドに接続された状態で帰還増幅器の動作が停止され、帰還増幅器の出力信号レベルが所定値以下に低下された後に、帰還増幅器を含む帰還制御回路が切換対象の磁気抵抗効果型ヘッドに切り換えられ、複数の磁気抵抗効果型ヘッドの抵抗値にばらつきがあっても、磁気抵抗効果型ヘッドには、予め設定した所定値以上の電圧が印加されることはない。
【００１９】
同様に前記目的を達成するために、請求項２記載の発明は、請求項１記載の発明に対して、前記帰還増幅器には、該帰還増幅器の出力信号が蓄積されるコンデンサが接続され、前記切換動作制御手段の前記信号レベルの低下処理が、前記コンデンサの放電であることを特徴とするものである。
このような手段によると、切換動作制御手段により、コンデンサが放電されて、帰還増幅器の出力信号レベルが低下することにより、請求項１記載の発明での作用が実行される。
【００２０】
【発明の実施の形態】
以下に本実施の形態を、図１及び図２を参照して説明する。
図１は本実施の形態の構成を示す回路図、図２は本実施の形態の動作を示すタイムチャートである。
【００２１】
本実施の形態では、図１に示すように、すでに図３を参照して説明した従来の磁気抵抗効果型ヘッドの信号切換再生装置に対して、コンデンサＣ１に並列に、スイッチＳＷ５が接続され、また、従来の制御回路１０Ｂに代えて、制御回路１０Ａが設けられ、制御回路１０Ａの第１の制御信号Ｆｃ１によって、オペアンプＧＭ１の動作が制御され、制御回路１０Ａの第２の制御信号Ｆｃ２によって、スイッチＳＷ５のＯＮ−ＯＦＦが制御され、制御回路１０Ａの第３の制御信号によって、スイッチＳＷ１〜ＳＷ４の同期状態でのＯＮ−ＯＦＦ制御が同時に行われるように構成されている。
【００２２】
そして、制御回路１０Ａに、ＭＲヘッド１５からＭＲヘッド１６への切換を指令する切換信号Ｈφ（１）が入力されると、制御回路１０ａは、先ずオペアンプＧＭ１の動作を停止させる第１の制御信号Ｆｃ１を出力し、次いでオペアンプＧＭ１の出力電圧電圧を充分に低下させる時間Ｔ１の間、スイッチＳＷ５をＯＮにする第２の制御信号Ｆｃ２を出力し、その後にスイッチＳＷ１〜ＳＷ４を同期状態で同時に切り換える第３の制御信号Ｆｃ３を出力する機能を有している。
本実施の形態のその他の部分の構成は、すでに、図３を参照して説明した従来の磁気抵抗効果型ヘッドの信号切換再生装置と同一なので重複する説明は行わない。
【００２３】
このような構成の本実施の形態の動作を説明する。
本実施の形態では、図２（ａ）に示すように、制御回路１０ＡにＭＲヘッド１５からＭＲヘッド１６への切換を指令する切換信号Ｈφ（１）が入力されると、制御回路１０Ａからは、先ず制御信号Ｆｃ１がオペアンプＧＭ１に入力され、この制御信号Ｆｃ１によって、同図（ｂ）に示すように、オペアンプＧＭ１の動作が停止状態となり、次いで、制御回路１０Ａから制御信号Ｆｃ２がスイッチＳＷ５に入力される。
この制御信号Ｆｃ２によって、同図（ｃ）に示すように、スイッチＳＷ５がＯＮとなる時間Ｔ１の間では、コンデンサＣ１に蓄積されたオペアンプＧＭ１の出力信号に対応する電荷が放電されて、低レベルの電源ラインに流れるので、コンデンサＣ１の電位Ｖｃ１が低下する。この時間Ｔ１では、ＭＲヘッド１５には、電位Ｖｃ１に応じたバイアス電流が流れ続け、ＭＲヘッド１５に流れる電流は減少し、図２（ｅ）に示すように、ＭＲヘッド１５の端子間電圧は低下していく。
【００２４】
そして、制御回路１０Ａからは、時間Ｔ１の経過後に制御信号Ｆｃ３が、スイッチＳＷ１〜ＳＷ４に同期状態で同時に入力され、この制御信号Ｆｃ３によって、スイッチＳＷ１は切換端子ｂ１側に、スイッチＳＷ２は切換端子ｂ２側に、スイッチＳＷ３は切換端子ｂ３側に、スイッチＳＷ４は切換端子ｂ４側に同時に切り換えられる。
この切換によって、ＭＲヘッド１６に基準電源９の電圧Ｖ１が印加され、この切換時には、ＭＲヘッド１５のバイアス電流が、ＭＲヘッド１６に瞬間的に流れるが、その電流値は電位Ｖｃ１が充分に低下してして微小電流であり、切換時にＭＲヘッド１６に所定値以上の過電圧が印加されることは完全に防止される。
そして、磁界によってＭＲヘッド１６の抵抗値ＲＭ（Ｒ１）が変化すると、Ｖｏ＝Ｉ（Ｂ１）・ＲＭ（Ｒ１）が、磁気記録媒体の記録情報の再生信号として、出力回路１４を介して出力される。
【００２５】
本実施の形態のその他の動作は、すでに説明した従来の磁気抵抗効果型ヘッドの信号切換再生装置の動作と同一なので重複する説明は行わない。
【００２６】
このように、本実施の形態によると、ＭＲヘッド１５からＭＲヘッド１６への切換動作時に、先ず制御信号Ｆｃ１によって、オペアンプＧＭ１の動作が停止状態にされ、次いで、制御信号Ｆｃ２によって、スイッチＳＷ５が所定時間Ｔ１にわたりＯＮにされ、オペアンプＧＭ１の出力信号に対応するコンデンサＣ１の電位が放電により充分に低下された後に、制御回路１０Ａからの制御信号Ｆｃ３によって、スイッチＳＷ１は切換端子ｂ１側に、スイッチＳＷ２は切換端子ｂ２側に、スイッチＳＷ３は切換端子ｂ３側に、スイッチＳＷ４は切換端子ｂ４側に同時に切り換えられる。
【００２７】
この切換によって、ＭＲヘッド１６に基準電源９の電圧Ｖ１が印加され、切換時には、ＭＲヘッド１５のバイアス電流が、ＭＲヘッド１６に瞬間的に流れるが、その電流値は電位Ｖｃ１が充分に低下してして微小電流であり、切換時にＭＲヘッド１６に所定値以上の過電圧が印加されることは完全に防止され、ＭＲヘッド１５、１６の抵抗値にばらつきがあっても、ＭＲヘッドには、予め設定した所定値以上の電圧が印加されることはなく、高製造コストを要するＭＲヘッドの品質の劣化を完全に防止し、磁気抵抗効果型ヘッドの信号切換再生装置の動作寿命を延長することが可能になる。
【００２８】
なお、以上の実施の形態では、ＭＲヘッドが２個の場合を説明したが、本発明はこの実施の形態に限定されるものではなく、一般には複数枚のディスクを備え複数のＭＲヘッドを設けた磁気抵抗効果型ヘッドの信号切換再生装置に適用することが可能である。
【００２９】
【発明の効果】
請求項１記載の発明に係る磁気抵抗効果型ヘッドの信号切換再生装置によると電流源回路から供給される電流により作動する複数の磁気抵抗効果型ヘッドが選択されて、磁気記録媒体の複数チャネルの記録情報が選択再生されるが、切換動作制御手段によって、磁気抵抗効果型ヘッドの選択切換を行う切換手段の切換動作が制御され、磁気抵抗効果型ヘッドに基準電圧を印加し、基準電圧に基づく制御信号を出力する帰還増幅器が、切換前の磁気抵抗効果型ヘッドに接続された状態で帰還増幅器の動作が停止され、帰還増幅器の出力信号レベルが所定値以下に低下された後に、帰還増幅器を含む帰還制御回路が切換対象の磁気抵抗効果型ヘッドに切り換えられる。
【００３０】
このために、複数の磁気抵抗効果型ヘッドの抵抗値にばらつきがあっても、磁気抵抗効果型ヘッドには、予め設定した所定値以上の電圧が印加されることはなく、高製造コストを要する磁気抵抗効果型ヘッドの品質の劣化を完全に防止し、磁気抵抗効果型ヘッドの信号切換再生装置の動作寿命を延長することが可能になる。
【００３１】
請求項２記載の発明によると、帰還増幅器には、帰還増幅器の出力信号が蓄積されるコンデンサが接続されており、このコンデンサの放電によって、切換動作制御手段による信号レベルの低下処理が実行され請求項１記載の発明で得られる効果が実現される。
【図面の簡単な説明】
【図１】本発明の一実施の形態の構成を示す回路図である。
【図２】同実施の形態の動作を示すタイムチャートである。
【図３】従来の磁気抵抗効果型ヘッドの信号切換再生回路の構成を示す回路図である。
【図４】従来の磁気抵抗効果型ヘッドの信号切換再生回路の動作を示すタイムチャートである。
【符号の説明】
１０Ａ・・制御回路、１１、１２・・電流源回路、１３、１４・・出力回路、１５、１６・・ＭＲヘッド、ＧＭ１・・オペアンプ、Ａ２、Ａ３・・アンプ、ＳＷ１〜ＳＷ５・・スイッチ、Ｐ１〜Ｐ４・・ＰＮＰトランジスタ、Ｑ１〜Ｑ４・・ＮＰＮトランジスタ。
【図１】
0004269466.tif 000002
【図２】
0004269466.tif 000003
【図３】
0004269466.tif 000004
【図４】
0004269466.tif 000005